(57)【特許請求の範囲】
【請求項１】
第１及び第２の無線通信を利用して、データを受信装置に送信する送信装置であって、
所定の規格に準拠するソース機器から送信されるコンテンツデータを受信する受信部と、
前記ソース機器から前記コンテンツデータを受信するために、前記ソース機器と前記送信装置との間の認証処理を実行する認証部と、
前記認証部により実行される認証処理が開始してから終了するまでの期間に、前記第１の無線通信を利用して、前記送信装置から前記受信装置までの前記第２の無線通信による通信チャネルを確立する処理を開始するチャネル確立部と、
前記チャネル確立部により確立された通信チャネルを介して、前記受信部により受信されたコンテンツデータを前記受信装置に送信する送信部とを備え、
前記通信チャネルを確立する処理は、前記認証部により実行される認証処理と並行して実行される、送信装置。
【請求項２】
請求項１に記載の送信装置であって、
前記チャネル確立部は、
前記通信チャネルの確立が完了した場合、前記通信チャネルの確立完了を示す完了フラグを設定するフラグ設定部を含み、
前記送信部は、前記フラグ設定部により前記完了フラグが設定された場合、前記通信チャネルを介した前記コンテンツデータの送信を開始する、送信装置。
【請求項３】
請求項１または請求項２に記載の送信装置であって、さらに、
前記ソース機器は、クロック信号に同期させて前記コンテンツデータを前記送信装置に送信し、
前記受信部は、
前記コンテンツデータが前記ソース機器から送信される前に、前記クロック信号に同期した信号を生成する同期回路を含み、
前記チャネル確立部は、前記同期回路から出力される信号が前記クロック信号に同期した場合、前記通信チャネルの確立を開始する、送信装置。
【請求項４】
第１及び第２の無線通信を利用して、データを受信装置に送信する送信装置の制御方法であって、
所定の規格に準拠するソース機器から送信されるコンテンツデータを受信するステップと、
前記ソース機器から前記コンテンツデータを受信するために、前記ソース機器と前記送信装置との間の認証処理を実行するステップと、
前記ソース機器と前記送信機器との間の認証処理が開始してから終了するまでの期間に、前記第１の無線通信を利用して、前記送信装置から前記受信装置までの前記第２の無線通信による通信チャネルを確立する処理を開始するステップと、
前記確立された通信チャネルを介して、前記受信されたコンテンツデータを前記受信装置に送信するステップとを備え、
前記通信チャネルを確立する処理は、前記認証処理と並行して実行される、送信装置の制御方法。
【請求項５】
第１及び第２の無線通信を利用して、データを受信装置に送信する送信装置として機能するコンピュータに実行させるためのプログラムであって、
所定の規格に準拠するソース機器から送信されるコンテンツデータを受信するステップと、
前記ソース機器から前記コンテンツデータを受信するために、前記ソース機器と前記送信装置との間の認証処理を実行するステップと、
前記ソース機器と前記送信機器との間の認証処理が開始してから終了するまでの期間に、前記第１の無線通信を利用して、前記送信装置から前記受信装置までの前記第２の無線通信による通信チャネルを確立する処理を開始するステップと、
前記確立された通信チャネルを介して、前記受信されたコンテンツデータを前記受信装置に送信するステップとを備え、
前記通信チャネルを確立する処理は、前記認証処理と並行して実行される、プログラム。
【発明の詳細な説明】
【技術分野】
【０００１】
本発明は、送信装置に関し、さらに詳しくは、ソース機器から送信されたコンテンツデータを無線通信を利用して受信装置に送信する送信装置に関する。
【背景技術】
【０００２】
ＨＤＭＩ（High-Definition Multimedia Interface）は、非圧縮のコンテンツデータを、ＢＤ（Blu-ray Disc）プレーヤなどのソース機器からテレビなどのシンク機器に送信するための規格である。ユーザは、シンク機器をＨＤＭＩケーブルによりソース機器と接続することにより、高品質の映像をシンク機器に表示させることができる。しかし、ソース機器及びシンク機器がＨＤＭＩケーブルにより相互に接続されることにより、これらの機器の設置場所が制限される。
【０００３】
そこで、無線通信を用いて、非圧縮のコンテンツデータを送信することが考えられている。特許文献１には、ＷｉｒｅｌｅｓｓＨＤと呼ばれる無線通信規格により、非圧縮のコンテンツデータを送信する技術が開示されている。
【０００４】
特許文献１において、送信ノード及び受信ノードは、ＷｉｒｅｌｅｓｓＨＤに準拠している。送信ノードは、ＨＲＰ（High-rate physical layer）と呼ばれる通信方式を利用して、データソースからの非圧縮のコンテンツデータを受信ノードに送信する。受信ノードは、送信ノードから送信された非圧縮のコンテンツデータをディスプレイに送信する。送信ノード及び受信ノードは、ＬＲＰ（Low-rate physical layer）と呼ばれる通信方式を利用して、制御情報を伝送する。
【０００５】
送信ノードは、ＨＲＰを利用して非圧縮のコンテンツデータを送信する場合、ＨＲＰによる通信チャネルを確立する。データソースが、ＨＤＭＩに準拠して非圧縮のコンテンツデータを送信ノードに送信する場合、通信チャネルは、データソースと送信ノードとの間でＨＤＣＰ（High-bandwidth Digital Content Protection）に基づく認証処理が終了した後に確立される。データソースは、認証処理が終了した後に、非圧縮のコンテンツデータの送信を開始するが、送信ノードは、ＨＲＰによる通信チャネルが確立されていなければ、非圧縮のコンテンツデータを受信ノードに送信することができない。この結果、送信ノードにおいて、非圧縮のコンテンツデータの送信遅延が発生する。
【先行技術文献】
【特許文献】
【０００６】
【特許文献１】特開２０１０−２１３１９０号公報
【特許文献２】特開２０１１−６１４７２号公報
【特許文献３】特開２０１１−２３８２２号公報
【発明の概要】
【発明が解決しようとする課題】
【０００７】
本発明の目的は、ソース機器から送信されるコンテンツデータを受信装置に送信する際に、コンテンツデータの送信遅延を小さくする送信装置を提供することである。
【課題を解決するための手段及び効果】
【０００８】
本発明による送信装置は、第１及び第２の無線通信を利用して、データを受信装置に送信する。本発明による送信装置は、受信部と、認証部と、チャネル確立部と、送信部とを備える。受信部は、所定の規格に準拠するソース機器から送信されるコンテンツデータを受信する。認証部は、ソース機器からコンテンツデータを受信するために、ソース機器と送信装置との間の認証処理を実行する。チャネル確立部は、認証部により実行される認証処理が開始してから終了するまでの期間に、第１の無線通信を利用して、送信装置から受信装置までの第２の無線通信による通信チャネルを確立する処理を開始する。送信部は、チャネル確立部により確立された通信チャネルを介して、受信部により受信されたコンテンツデータを受信装置に送信する。通信チャネルを確立する処理は、認証部により実行される認証処理と並行して実行される。
【０００９】
本発明による送信装置は、ソース機器と送信装置との認証処理が開始してから終了するまでの期間に、第１の無線通信を利用して、送信装置から受信装置までの第２の無線通信による通信チャネルを確立する処理を開始する。通信チャネルを確立する処理は、認証部により実行される認証処理と並行して実行されるため、通信チャネルを介してコンテンツデータを送信できるようになるまでの時間を短縮することができる。
【００１２】
好ましくは、チャネル確立部は、フラグ設定部を含む。フラグ設定部は、通信チャネルの確立が完了した場合、通信チャネルの確立完了を示す完了フラグを設定する。送信部は、フラグ設定部により完了フラグが設定された場合、通信チャネルを介したコンテンツデータの送信を開始する。
【００１３】
送信部は、フラグ設定部により完了フラグが設定されることにより、コンテンツデータの送信を開始できるか否かを速やかに判断することができる。
【００１４】
好ましくは、ソース機器は、クロック信号に同期させてコンテンツデータを送信装置に送信する。受信部は、同期回路を含む。同期回路は、コンテンツデータがソース機器から送信される前に、クロック信号に同期した信号を生成する。チャネル確立部は、同期回路から出力される信号がクロック信号に同期した場合、通信チャネルの確立を開始する。
【００１５】
クロック信号に同期した信号が同期回路により生成されることにより、送信装置は、コンテンツデータに関する情報を取得することが可能となる。したがって、クロック信号に同期した信号が同期回路により生成された場合、取得したコンテンツデータに関する情報に基づいて、通信チャネルを速やかに確立することができる。
【００１６】
本発明による送信装置の制御方法は、本発明による送信装置を動作させるために用いられる。本発明によるプログラムは、本発明による送信装置に用いられる。
【図面の簡単な説明】
【００１７】
【図１】本発明の実施の形態によるコンテンツ転送システムの構成を示す機能ブロック図である。
【図２】図１に示す中継機器の構成を示す機能ブロック図である。
【図３】図２に示すＲＡＭ（Random Access Memory）に格納されるアドレス管理テーブルを示す図である。
【図４】図１に示す中継機器がコンテンツデータの送信を開始するまでの動作を示すフローチャートである。
【図５】図１に示す中継機器がＨＲＰによる通信チャネルを確立する動作を示すフローチャートである。
【発明を実施するための形態】
【００１８】
以下、図面を参照し、本発明の実施の形態を詳しく説明する。図中同一または相当部分には同一符号を付してその説明は繰り返さない。
【００１９】
｛コンテンツ転送システムの構成｝
図１は、本発明の実施の形態によるコンテンツ転送システム３００の構成を示す機能ブロック図である。図１を参照して、コンテンツ転送システム３００は、中継機器１，２と、ＢＤプレーヤ１００と、テレビ２００とを備える。ＢＤプレーヤ１００は、ＨＤＭＩケーブル１５０により中継機器１に接続される。テレビ２００は、ＨＤＭＩケーブル２５０により中継機器２に接続される。中継機器１は、ＷｉｒｅｌｅｓｓＨＤ（以下、「ＷｉＨＤ」と呼ぶ。）に準拠した通信を用いて、コンテンツデータ５０を中継機器２に送信する送信装置である。中継機器２は、ＷｉＨＤに準拠した通信を用いて、コンテンツデータ５０を受信する受信装置である。
【００２０】
コンテンツ転送システム３００において、ＢＤプレーヤ１００は、ＨＤＭＩに準拠するソース機器である。ＢＤプレーヤ１００は、ＢＤディスク（図示省略）に記録されたコンテンツを再生して、非圧縮のコンテンツデータ５０を生成する。コンテンツデータ５０は、ＨＤＭＩケーブル１５０を介して、中継機器１に送信される。
【００２１】
中継機器１は、ＷｉＨＤにおけるステーションに相当する。ステーションは、ソース機器に接続され、コンテンツデータ５０をコーディネータに送信する場合が多い。中継機器１は、中継機器１と中継機器２との間に、ＨＲＰを利用した通信チャネル６０を確立し、確立された通信チャネル６０を介して、コンテンツデータ５０を中継機器２に送信する。通信チャネル６０の詳細は、後述する。
【００２２】
中継機器２は、ＷｉＨＤにおけるコーディネータに相当する。コーディネータは、ＷｉＨＤにおいてＷＶＡＮ（Wireless Video Area Network）と呼ばれるホームネットワークを管理する機器であり、シンク機器に接続されることが多い。中継機器２は、通信チャネル６０を介して送信されたコンテンツデータ５０を、ＨＤＭＩケーブル２５０を介してテレビ２００に送信する。これにより、テレビ２００は、ＢＤプレーヤ１００により生成されたコンテンツデータ５０に基づくコンテンツを表示することができる。
【００２３】
ＷｉＨＤに準拠する中継機器１，２は、ＨＲＰ、ＬＲＰと呼ばれる２つの通信方式を利用する。ＨＲＰは、一方向通信であり、大容量のデータ（コンテンツデータ５０など）を転送するために用いられる。中継機器１は、ＨＲＰを用いて、コンテンツデータ５０を中継機器２に送信する場合、中継機器１のアンテナの指向性を制御する。これにより、ＨＲＰは、大容量のデータの転送を可能としている。ＬＰＲは、双方向通信であり、ＨＲＰよりも低速な通信を行う。ＬＲＰは、ＷＶＡＮに関する制御情報、ＨＲＰを利用した通信に関する制御情報などの転送に用いられる。
【００２４】
｛中継機器１の構成｝
図２は、中継機器１の構成を示す機能ブロック図である。図２を参照して、中継機器１は、ＣＰＵ（Central Processing Unit）１１と、ＲＡＭ（Random Access Memory）１２と、ＲＯＭ（Read Only Memory）１３と、ＨＤＭＩ受信部１４と、バッファ１５と、無線通信部１６と、アンテナ１７とを備える。
【００２５】
ＣＰＵ１１は、ＲＯＭ１３に格納された中継プログラム１８をＲＡＭ１２にロードし、ロードされた中継プログラム１８を実行することにより中継機器１を制御する。中継プログラム１８は、ソース機器から送信されたコンテンツデータ５０を、中継機器２に送信するように中継機器１を動作させるためのプログラムである。
【００２６】
ＨＤＭＩ受信部１４は、ＴＭＤＳ（Transition Minimized Differential Signaling）チャネル１５１及びＤＤＣ（Display Data Channel）１５２を含むＨＤＭＩケーブル１５０に接続される。ＨＤＭＩ受信部１４は、ＴＭＤＳチャネル１５１を介してコンテンツデータ５０を受信する。ＨＤＭＩ受信部１４は、ＰＬＬ（Phased Lock Loop）回路１９を備える。ＰＬＬ回路１９は、ＴＭＤＳチャネル１５１を介してコンテンツデータ５０とともに送信されるクロック信号に同期した信号を生成する同期回路である。
【００２７】
バッファ１５は、ＨＤＭＩ受信部１４により受信されたコンテンツデータ５０を一時的に格納する。
【００２８】
無線通信部１６は、ＷｉＨＤに準拠した通信をする。無線通信部１６は、ＨＲＰを利用した通信チャネル６０を確立し、通信チャネル６０を介してバッファ１５に格納されたコンテンツデータ５０を送信する。無線通信部１６は、ＨＲＰを利用して通信をするときに、アンテナ１７の指向性を制御する。
【００２９】
｛中継機器１の動作概要｝
中継機器１が、ＨＤＭＩケーブル１５０を介してコンテンツデータ５０を受信する前に、ＨＤＣＰに基づく認証処理が、ＢＤプレーヤ１００と中継機器１との間で行われる。認証処理では、鍵情報などが、ＤＤＣ１５２を介してＢＤプレーヤ１００と中継機器１との間で転送される。ＢＤプレーヤ１００及び中継機器１は、鍵情報の正当性を相互に確認する。
【００３０】
中継機器１は、認証処理が終了する前に、ＨＲＰを利用して、中継機器１から中継機器２までの通信チャネル６０を確立する処理を開始する。ＰＬＬ回路１９が、ＢＤプレーヤ１００から送信されるクロック信号と同じ周波数の同期信号を出力した場合、中継機器１は、通信チャネル６０の確立を開始する。中継機器１は、ＨＤＣＰによる認証処理と並行して、通信チャネル６０を確立する処理を実行する。
【００３１】
これにより、中継機器１は、認証処理が終了してから、通信チャネル６０を介したコンテンツデータ５０の送信を開始するまでの時間を短縮できる。中継機器１は、ＢＤプレーヤ１００から送信されるコンテンツデータ５０を中継機器２に送信する際に発生する遅延を短くすることができる。
【００３２】
以下、中継機器１の動作を詳しく説明する。
【００３３】
｛ＨＤＭＩメッセージの転送先の決定｝
中継機器２（コーディネータ）は、中継機器１，２により構成されるＷＶＡＮを構築する。ＷＡＮの構築には、ＬＲＰが用いられる。中継機器１，２は、ＷＶＡＮが構築された後に、パススルーモードに移行する。パススルーモードにおいて、中継機器１，２は、ＬＲＰを利用して、ＨＤＭＩに関する制御情報を転送する。ＢＤプレーヤ１００とテレビ２００との間で送受信されるＨＤＭＩメッセージが、中継機器１，２を介して転送される。
【００３４】
図３は、ＲＡＭ１２に格納されるアドレス管理テーブル７０を示す図である。図３を参照して、中継機器１，２は、アドレス管理テーブル７０を保持しており、アドレス管理テーブル７０に基づいて、ＨＤＭＩ制御情報の転送先を決定する。アドレス管理テーブル７０において、中継機器のＳＴＩＤ（Station Identifier）が、中継機器に接続されているＨＤＭＩ機器の論理アドレス及び物理アドレスに対応付けられている。ＳＴＩＤは、ＷＶＡＮを構成する機器の識別情報である。中継機器１のＳＴＩＤ「１２」は、ＢＤプレーヤ１００のＨＤＭＩ論理アドレス「２２」及び物理アドレス「１．１．０．０」に対応付けられる。中継機器２のＳＴＩＤ「１１」は、テレビ２００のＨＤＭＩ論理アドレス「２１」及び物理アドレス「０．０．０．０」に対応付けられる。なお、たとえば、中継機器１，２のＨＤＭＩ物理アドレスは、「１．０．０．０」である。
【００３５】
たとえば、ＢＤプレーヤ１００が、テレビ２００の論理アドレス「２１」及び物理アドレス「０．０．０．０」を宛先としたＨＤＭＩメッセージを送信した場合、中継機器１は、アドレス管理テーブル７０を参照して、送信されたＨＤＭＩメッセージの転送先を中継機器２に決定する。このように、中継機器１，２がＢＤプレーヤ１００とテレビ２００との間に介在していても、ＢＤプレーヤ１００及びテレビ２００は、ＨＤＭＩに関する情報を相互に送受信できる。
【００３６】
｛コンテンツデータ５０の転送｝
以下、中継機器１が、ＢＤプレーヤ１００から送信されるコンテンツデータ５０を中継機器２に転送するときの動作を説明する。
【００３７】
ＢＤプレーヤ１００の操作メニューがテレビ２００に表示されていると仮定する。ユーザは、ＢＤプレーヤ１００のリモコンを操作して、コンテンツの再生を指示する。ＢＤプレーヤ１００は、指示されたコンテンツに対応するコンテンツデータ５０の生成を開始する。テレビ２００に表示される操作メニューのフレームモードと、コンテンツデータ５０のフレームモードとが異なる場合、ＢＤプレーヤ１００は、ＢＤプレーヤ１００とテレビ２００との間に確立されていたＨＤＭＩリンクを切断する。その上で、コンテンツデータ５０を送信するための新たなＨＤＭＩリンクが確立される。
【００３８】
図４は、中継機器１により実行される中継開始処理のフローチャートである。図４を参照して、中継機器１がコンテンツデータ５０を中継機器２に送信できるようになるまでの中継機器１の動作を説明する。
【００３９】
中継機器１は、ＢＤプレーヤ１００と中継機器１との間で、ＨＤＣＰに基づく認証処理を開始する（ステップＳ１１）。具体的には、中継機器１が、ＤＤＣ１５２を介して、ＢＤプレーヤ１００から認証の要求を受け付けることにより、認証処理が開始される（ステップＳ１１）。認証処理において、中継機器１及びＢＤプレーヤ１００は、鍵情報を交換し、交換した鍵情報の正当性を確認する。
【００４０】
ＨＤＣＰに基づく認証処理は、ＢＤプレーヤ１００とテレビ２００との間で行われ、中継機器２とテレビ２００との間で行われる。
【００４１】
次に、中継機器１は、ＬＲＰを介して、中継機器２にミュート指示情報を送信する（ステップＳ１２）。中継機器２は、中継機器１から送信されたミュート指示情報に基づいて、テレビ２００に対してミュートを指示する。ミュートを指示されたテレビ２００は、コンテンツデータ５０を受信する前に何らかの映像データを受信したとしても、受信した映像データを表示しない。これにより、テレビ２００において、コンテンツデータ５０に基づく映像が表示される前に、コンテンツと無関係な映像が表示されることを防止できる。
【００４２】
中継機器１は、ミュート指示情報を送信した後に、ＨＲＰ接続処理を開始する（ステップＳ１３）。ＨＲＰ接続処理は、中継機器１と中継機器２との間に、通信チャネル６０を確立する処理である。ＨＲＰ接続処理は、認証処理が終了する前に開始され、ステップＳ１１において開始された認証処理と並行して実行される。ＨＲＰ接続処理の詳細は、後述する。
【００４３】
中継機器１は、認証処理が終了した場合（ステップＳ１４においてＹｅｓ）、通信チャネル６０の確立が完了したか否かを確認する（ステップＳ１５）。具体的には、中継機器１は、ＨＲＰ接続完了フラグが「１」に設定されているか否かを確認する（ステップＳ１５）。ＨＲＰ接続完了フラグは、ＨＲＰ接続処理が終了したか否かを示す情報であり、通信チャネル６０の確立により「１」に設定される。ＨＲＰ接続完了フラグは、通信チャネル６０が確立されていないときには「０」に設定される。
【００４４】
ＨＲＰ接続完了フラグが「０」に設定されている場合（ステップＳ１５においてＮｏ）、中継機器１は、ＨＲＰ接続完了フラグが「１」設定されるまで（ステップＳ１５においてＹｅｓ）、待機する。
【００４５】
ＨＲＰ接続完了フラグが「１」に設定された場合（ステップＳ１５においてＹｅｓ）、中継機器１は、ＬＲＰを介して、ミュート解除指示情報を中継機器２に送信する（ステップＳ１６）。ミュート解除指示情報は、ＬＲＰを介して中継機器２に送信される。中継機器２は、中継機器１から送信されたミュート解除指示情報に基づいて、テレビ２００にミュート解除を指示する。これにより、テレビ２００は、コンテンツデータ５０を受信した場合、コンテンツデータ５０に基づくコンテンツを表示することができる。中継機器１は、コンテンツデータ５０の送信を開始する（ステップＳ１７）。コンテンツデータ５０がバッファ１５に既に格納されている場合、中継機器１は、格納されているコンテンツデータ５０を分割してＨＲＰパケットを生成し、通信チャネル６０を介してＨＲＰパケットを送信する。
【００４６】
｛ＨＲＰ接続処理｝
以下、ステップＳ１３（図４参照）により開始されるＨＲＰ接続処理について詳しく説明する。図５は、中継機器１により実行されるＨＲＰ接続処理のフローチャートである。上述したように、ＨＲＰ接続処理は、認証処理と並行して実行される。
【００４７】
図５を参照して、中継機器１は、ＰＬＬ回路１９がロックされたか否かを確認する（ステップＳ２１）。ＰＬＬ回路１９は、ＴＭＤＳチャネル１５１を介して送信されるクロック信号と同じ周波数の信号を生成した場合にロックする。ＢＤプレーヤ１００は、コンテンツデータ５０に含まれる映像信号をクロック信号に同期させて中継機器１に送信する。このため、中継機器１は、ＰＬＬ回路１９から出力される信号を用いて、コンテンツデータ５０を受信する。
【００４８】
ＰＬＬ回路１９がロックした場合（ステップＳ２１においてＹｅｓ）、中継機器１は、ＴＭＤＳチャネル１５１を介して、インフォフレームを受信する。中継機器１は、ＴＭＤＳチャネル１５１に関する制御情報を、インフォフレームから取得する（ステップＳ２２）。取得される制御情報は、たとえば、伝送されるコンテンツデータ５０のビデオフォーマット、サポートされる色空間、色深度、アスペクト比などである。これらの制御情報は、通信チャネル６０で必要とされる伝送速度、変調方式などを決定するために用いられる。
【００４９】
中継機器１は、通信チャネル６０を確立するために、ＨＲＰ接続要求を中継機器２に送信する（ステップＳ２３）。ＨＲＰ接続要求は、ＷｉＨＤ規格に準拠する信号であり、中継機器１のＳＴＩＤなどを含む。ＨＲＰ接続要求は、ＬＲＰを利用して送信される。
【００５０】
中継機器２は、ＨＲＰ接続要求が中継機器１から送信された場合、ＬＲＰを利用して、ＨＲＰ接続要求を受け付けたことを示す要求受付信号を中継機器１に送信する。
【００５１】
中継機器１は、要求受付信号を受信することにより（ステップＳ２４においてＹｅｓ）、アンテナ１７の指向性を制御して、通信チャネル６０を確立する（ステップＳ２５）。ステップＳ２５の処理は、ＷｉＨＤ規格に準拠した処理である。
【００５２】
具体的には、中継機器１は、アンテナ１７の指向性を制御して、コンテンツデータ５０を送信することができる中継機器１から中継機器２までの最短の経路を特定する。中継機器１は、特定された経路を実現するために必要な経路情報（アンテナ１７の指向性に関する情報など）を、中継機器２に送信する。中継機器２は、中継機器１から送信された経路情報に基づいて、ＷｉＨＤ規格で定められた転送レートが確保されたかどうかを確認し、確認結果を中継機器１に送信する。これにより、通信チャネル６０が確立される。
【００５３】
中継機器１は、通信チャネル６０を確立した後に、ＨＲＰ接続完了フラグを「１」に変更し（ステップＳ２６）、ＨＲＰ接続処理を完了する。上述したように、ＨＲＰ接続完了フラグが「１」に設定された場合、中継機器１は、ミュート解除指示を中継機器２に送信し（ステップＳ１６、図４参照）、コンテンツデータ５０の送信を開始する（ステップＳ１７）。
【００５４】
以上説明したように、本実施の形態において、中継機器１は、中継機器１とＢＤプレーヤ１００との間の認証処理が終了する前に、ＨＲＰ接続処理を開始して通信チャネル６０を確立する。これにより、中継機器１は、認証処理が終了してから、通信チャネル６０が確立されるまでの期間を短縮できるため、通信チャネル６０を介してコンテンツデータ５０を中継機器２に送信するときの遅延を短縮することができる。
【００５５】
上記実施の形態では、ＨＲＰ接続処理が、認証処理と並行して実行される例を説明したが、これに限られない。中継機器１は、認証処理を開始する（ステップＳ１１）前に、ＨＲＰ接続処理を開始してもよい。また、中継機器１は、図５に示すＨＲＰ接続処理が終了した後に、認証処理を開始してもよい（ステップＳ１１）。要するに、中継機器１は、ＨＤＣＰに基づく認証処理が終了する前に、ＨＲＰ接続処理を開始すればよい。これにより、中継機器１は、認証処理が終了してからコンテンツデータ５０の送信を開始するまでの時間を短縮することができる。
【００５６】
また、上記実施の形態では、中継機器１とＢＤプレーヤとが別々の機器であり、中継機器２とテレビ２００とが別々の機器である例を説明したが、これに限られない。ＢＤプレーヤ１００が中継機器１を内蔵してもよい。つまり、中継機器１は、ＷｉＨＤを利用して、コンテンツデータを受信装置に送信する送信装置として機能するコンピュータであればよい。あるいは、テレビ２００が、中継機器２を内蔵してもよい。
【００５７】
また、上記実施の形態では、中継機器２がＨＤＭＩケーブル２５０を介して、コンテンツデータ５０をテレビ２００に送信する例を説明したが、これに限られない。たとえば、中継機器２は、ＷｉＨＤを利用して、ＷｉＨＤ規格に対応した他の機器に、コンテンツデータ５０を転送してもよい。
【００５８】
また、上記実施の形態では、中継機器１，２がＷｉＨＤを利用して通信する例を説明したが、これに限られない。中継機器１，２は、少なくとも２つの無線通信を利用可能であればよい。この場合、中継機器１は、１つの無線通信を利用して、もう１つの無線通信による通信チャネル６０を確立し、通信チャネル６０を介してコンテンツデータ５０を送信する。
【００５９】
また、上記実施の形態では、ＢＤプレーヤ１００及びテレビ２００がＨＤＭＩに準拠する例を説明したが、これに限られない。コンテンツ転送システム３００は、ＢＤプレーヤ１００及びテレビ２００として、非圧縮のコンテンツデータ又は圧縮されたコンテンツデータを送受信できる機器を用いることができる。
【００６０】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００６１】
１，２  中継機器
１１  ＣＰＵ
１２  ＲＡＭ
１３  ＲＯＭ
１４  ＨＤＭＩ受信部
１５  バッファ
１６  無線通信部
１７  アンテナ
１８  中継プログラム
１９  ＰＬＬ回路
７０  アドレス管理テーブル
１００  ＢＤプレーヤ
２００  テレビ
３００  コンテンツ転送システム
【図１】
0005482823.tif 000002
【図２】
0005482823.tif 000003
【図３】
0005482823.tif 000004
【図４】
0005482823.tif 000005
【図５】
0005482823.tif 000006